(57)【要約】      （修正有）【課題】素早く制御でき、よりしっかりした係合を提供し、疲労及び脆さの問題を防止できる、ベルトを固定するためのバックル装置を提供する。【解決手段】本バックル装置は第１部分３１と、第２部分３２と、弾性部３３とを備える。該弾性部３３はほぼＡ１０とＡ９５の間のショア硬さを有する材料でできており、該第１部分３１よりしなやかである。該弾性部３３は該第１部分３１及び該第２部分３２と接触し、その結果、該第２部分３２はベルト６と係合して該ベルト６を固定する。【選択図】図３Ｃ
2011036639.tif 000002
【特許請求の範囲】
【請求項１】
ベルトを固定するためのバックル装置であって、
第１部分と、
該ベルトと係合するよう構成された第２部分と、
該第１部分及び該第２部分と接触し、ほぼＡ１０とＡ９５の間のショア硬さを有する材料でできた弾性部と
を備えるバックル装置。
【請求項２】
前記弾性部は、シリコン、熱可塑性ゴム（ＴＰＲ）、ポリ塩化ビニル（ＰＶＣ）、及びこれらの組合せからなるグループから選択された材料でできている請求項１に記載のバックル装置。
【請求項３】
前記弾性部は、マスクのスカートまたは潜水フィンの側部と一体に形成されている請求項２に記載のバックル装置。
【請求項４】
前記第２部分は第１突起を備え、前記ベルトは複数の第２突起を有し、該第１突起は該ベルトの該第２突起と係合するように適合している請求項２に記載のバックル装置。
【請求項５】
該バックル装置は第１枢軸を更に備え、
前記第２部分は、該第１枢軸によって回動可能に前記第１部分と接続され、該第２部分は係合端と他方端とを有し、前記第１突起は該係合端に配置され、
前記弾性部が該他方端を外方へ付勢する時、該第１突起は該第１枢軸の周りを内方へ回転し、前記ベルトの前記第２突起と係合するように適合している請求項４に記載のバックル装置。
【請求項６】
前記弾性部は前記第１部分と前記第２部分との間に配置されている請求項５に記載のバックル装置。
【請求項７】
該バックル装置は１つ以上のプッシュ部を更に備え、
該１つ以上のプッシュ部を内方へ押して前記係合端を外方へ回転させると、前記第１突起は前記ベルトの前記第２突起を解放し、前記他方端は前記第１枢軸の周りを内方へ回転し前記弾性部に当接する請求項６に記載のバックル装置。
【請求項８】
前記第１枢軸は前記弾性部と回動可能に接続されている請求項５に記載のバックル装置。
【請求項９】
該バックル装置は前記第１部分に固定された第２枢軸を更に備え、前記ベルトは該第２枢軸の周りに巻かれている請求項５に記載のバックル装置。
【請求項１０】
該バックル装置は１つ以上のプッシュ部を更に備え、
前記第２部分は係合端と他方端とを有し、前記第１突起は該係合端に配置され、
該１つ以上のプッシュ部を内方へ押して前記弾性部を外方へ突出させて該係合端を外方へ回転させると、該第１突起は前記ベルトの前記第２突起を解放する請求項４に記載のバックル装置。
【請求項１１】
前記第１突起が前記第２突起と係合するように、前記他方端は前記第１部分に固定される請求項１０に記載のバックル装置。
【請求項１２】
前記弾性部は前記第１部分と前記第２部分との間に配置されている請求項１１に記載のバックル装置。
【請求項１３】
前記他方端はスナップ嵌合突起を有し、前記第１部分はスナップ嵌合孔を有し、該スナップ嵌合突起は該スナップ嵌合孔に固定される請求項１２に記載のバックル装置。
【請求項１４】
前記他方端はスナップ嵌合孔を有し、前記第１部分はスナップ嵌合突起を有し、該スナップ嵌合突起は該スナップ嵌合孔に固定される請求項１２に記載のバックル装置。
【請求項１５】
該バックル装置は前記第１部分に固定された第２枢軸を更に備え、前記ベルトは該第２枢軸の周りに巻かれている請求項１０に記載のバックル装置。
【請求項１６】
前記第１部分はポリカーボネート（ＰＣ）、アルキルベンゼンスルホン酸塩（ＡＢＳ）、ポリオキシメチレン（ＰＯＭ）、ポリプロピレン（ＰＰ）、熱可塑性ゴム（ＴＰＲ）、ナイロンポリエチレン（ＰＥ）、ポリウレタン（ＰＵ）、及びこれらの組合せからなるグループから選択された材料でできている請求項１に記載のバックル装置。
【発明の詳細な説明】
【技術分野】
【０００１】
本発明はバックル装置に関し、特に弾性部に高撓み性の材料を使用するバックル装置に関する。
【背景技術】
【０００２】
マスク、例えばゴーグル、潜水マスク、又は着用者の顔を覆う他の装置、及び潜水フィンが多くの水中活動において一般に使用されている。一般に、マスクと潜水フィンの両方がバックル装置とベルトとを備える。着用者は自身のサイズに基づいてベルトの長さを調整する。ベルトの調整後、ベルトが着用者に巻かれ、バックル装置はベルトを固定する。
【０００３】
図１Ａ〜図１Ｃは、従来のバックル装置１を示し、バックル装置１は本体１１、スナップエレメント１２、復元エレメント１３、第１枢軸１７、及び第２枢軸１６を備える。スナップエレメント１２は係合端１５と他方端１４とを有する。係合端１５が枢軸１６に巻かれたベルト（不図示）と係合する時、他方端１４は復元エレメント１３と接触する。着用者がスナップエレメント１２を持ち上げると、他方端１４は内方へ第１枢軸１７の周りを回転し（即ち、図１Ｃにおいてスナップエレメント１２は反時計回りに回転する）、復元エレメント１３を押して、復元エレメント１３を外方へ変形させる。スナップエレメント１２は予押下げ弾性復元力を生成する。係合端１５は上方へ突き出て、マスク又は潜水フィンのベルトから離れる。すると、着用者はマスク又は潜水フィンを着用者のサイズに合わせて固定できるように自身のサイズに基づいてベルトの長さを調整できる。着用者が他方端１４に力を働かせる時、ほとんどの場合、一体に形成された復元エレメント１３と本体１１とによって、復元エレメント１３は十分な強度を持たなければならないため、復元エレメント１３の材料は十分な撓み性を持っていない。従って、着用者はスナップエレメント１２を素早く外方へ開放することができず、ベルトを調整するために力が必要となる。復元エレメント１３が十分な撓み性を持っていない場合、復元エレメント１３の繰り返し使用後、エレメント１３の材料は疲労するか又は脆くなる場合がある。
【０００４】
図２Ａ〜図２Ｃは、別の従来のバックル装置２を示す。バックル装置２は本体２１、スナップエレメント２２、及び１つ以上のプッシュ部、ここでは２つのプッシュ部２４を備える。本体２１は枢軸２６と、枢軸２６に巻くのに適合したマスク、潜水フィン等用のベルト（不図示）とを備える。スナップエレメント２２はスナップ嵌合突起２３と係合端２５とを有する。２つのプッシュ部２４は、図２Ａ、図２Ｂに示すようにスナップエレメント２２の両側に枢軸２６の軸方向に沿って配置されている。係合端２５はスナップエレメント２２の枢軸２６に近い側に配置され、枢軸２６に巻かれたベルト（不図示）と係合する。スナップエレメント２２のスナップ嵌合突起２３は本体２１に形成された孔と係合することで、スナップエレメント２２は復元力を得る。
【０００５】
２つのプッシュ部２４が同時に内方への圧力を受けると、スナップエレメント２２の両側面は外方へ突出し、係合端２５とマスク、潜水フィン等のベルトとの間のギャップが増大する。すると、着用者のサイズに基づいてベルトの長さを調整することができ、ベルトが着用者に巻かれた時、マスク又は潜水フィンが着用者に快適に装着される。着用者がプッシュ部２４を解放すると、スナップエレメント２２はスナップ嵌合突起２３の復元力により、元の位置に戻り、プッシュ部２４も元の位置に戻る。上記バックル装置１と同様に、スナップ嵌合突起２３とスナップエレメント２２は一体に形成されている。その結果、バックル装置はベルトと係合するのに十分な強度と硬さとを持っていなければならない。従って、スナップ嵌合突起２３の材料が硬すぎる場合、十分な撓み性を持っていないので、着用者はスナップエレメント２２を素早く押すことができない。このため、ベルトの調整時、着用者にスナップエレメント２２を押すために余分な力を使わせる。また、従来のバックル装置２のスナップ嵌合突起２３は繰り返し使用された後、スナップ嵌合突起２３は脆くなり割れる可能性がある。従って、ベルトと係合する時、十分な係合力を持っておらず、係合端２５とベルトはしっかりと固定されない。ベルトがずれた場合、着用者は命の安全問題に直面する可能性がある。
【０００６】
従って、素早く制御でき、よりしっかりした係合を提供し、疲労及び脆さの問題を防止できるバックル装置を提供することが当分野で要望されている。
【発明の概要】
【発明が解決しようとする課題】
【０００７】
本発明の主な目的は、容易に組立てられ、苦労なくかつ感度よく制御でき、よりしっかりした係合を提供できるバックル装置を提供することである。また、本装置の係合は確実に行われ、その結果、疲労により本装置が壊れる等の問題が防止される。
【課題を解決するための手段】
【０００８】
ベルトを固定するための本発明のバックル装置を提供する。ベルトは複数の第２突起を有する。本バックル装置は第１部分と、第２部分と、弾性部とを備える。該弾性部はほぼＡ１０とＡ９５の間のショア硬さ（shore hardness）を有する材料でできており、該第１部分よりしなやかである。該弾性部は該第１部分及び該第２部分と接触し、その結果、該第２部分は該ベルトと係合して該ベルトを固定する。
【図面の簡単な説明】
【０００９】
【図１Ａ】従来のバックル装置を概略的に示す斜視図である。
【図１Ｂ】図１Ａに示す従来のバックル装置の上面図である。
【図１Ｃ】図１ＢのＡ−Ａ線に沿った従来のバックル装置の断面図である。
【図２Ａ】別の従来のバックル装置を概略的に示す斜視図である。
【図２Ｂ】図２Ａに示す従来のバックル装置の上面図である。
【図２Ｃ】図２ＢのＢ−Ｂ線に沿った従来のバックル装置の断面図である。
【図３Ａ】本発明の好適な第１の実施形態のバックル装置の斜視図である。
【図３Ｂ】本発明の好適な第１の実施形態のバックル装置の上面図である。
【図３Ｃ】図３ＢのＣ−Ｃ線に沿った本発明の第１の実施形態の断面図である。
【図３Ｄ】本発明の第１の実施形態のバックル装置の展開図である。
【図３Ｅ】本発明に係るマスクに使用された第１の実施形態のバックル装置の斜視図である。
【図３Ｆ】本発明に係るマスクに使用された第１の実施形態の展開図である。
【図３Ｇ】本発明に係る潜水フィンに使用された第１の実施形態のバックル装置の斜視図である。
【図３Ｈ】本発明に係る潜水フィンに使用された第１の実施形態の展開図である。
【図４Ａ】本発明の好適な第２の実施形態のバックル装置の斜視図である。
【図４Ｂ】本発明の好適な第２の実施形態のバックル装置の上面図である。
【図４Ｃ】図４ＢのＤ−Ｄ線に沿った本発明の第２の実施形態の断面図である。
【図４Ｄ】本発明の第２の実施形態のバックル装置の展開図である。
【図４Ｅ】本発明に係る潜水フィンに使用された第２の実施形態のバックル装置の斜視図である。
【図４Ｆ】本発明に係る潜水フィンに使用された第２の実施形態の展開図である。
【図５Ａ】本発明の好適な第３の実施形態のバックル装置の斜視図である。
【図５Ｂ】本発明の第３の実施形態のバックル装置の断面図である。
【図５Ｃ】本発明の第３の実施形態のバックル装置の展開図である。
【発明を実施するための形態】
【００１０】
本発明の詳細な技術と好適な実施形態を下記において添付の図面を参照しながら当業者が本発明の特徴をよく理解できるように説明する。
【００１１】
図３Ａ〜図３Ｄに示すように、本発明に係るベルト６用のバックル装置３は第１部分３１、第２部分３２、及び弾性部３３を備える。弾性部３３は第１部分３１より柔らかい材料でできており、ほぼＡ１０とＡ９５の間のショア硬さ（shore hardness）を有する。弾性部３３の弾性係数は第１部分３１の弾性係数より概ね小さく、２０Ｇｐａ未満である。言い換えると、第１部分３１と比べて弾性部３３はより良好な撓み性を有している。従来のバックル装置の復元構造体と比べて、弾性部３３は容易に変形して、材料の疲労による壊れは容易には起こらない。ベルト６は複数の第２突起６１を有し、一方、第２部分３２は１つ以上の第１突起３２１を備える。弾性部３３は第１部分３１及び第２部分３２に接触し、第２部分３２を付勢し、これにより第１突起３２１がベルト６の第２突起６１と係合し、ベルト６が固定される。弾性部３３はシリコン、熱可塑性ゴム（ＴＰＲ）、ポリ塩化ビニル（ＰＶＣ）、及びこれらの組合せからなるグループから選択された材料でできている。第１部分３１はポリカーボネート（ＰＣ）、アルキルベンゼンスルホン酸塩（ＡＢＳ）、ポリオキシメチレン（ＰＯＭ）、ポリプロピレン（ＰＰ）、熱可塑性ゴム（ＴＰＲ）、ナイロンポリエチレン（ＰＥ）、ポリウレタン（ＰＵ）、及びこれらの組合せからなるグループから選択された材料でできている。
【００１２】
図３Ａ〜図３Ｄは本発明に係るバックル装置３の好適な第１の実施形態を詳細に例示する。バックル装置３は第１枢軸３５と第２枢軸３６とを更に備え、第２枢軸３６は第１部分３１に固定され、ベルト６は第２枢軸３６の周りに巻かれる。ベルト６の複数の第２突起６１と第２枢軸３６とは第１枢軸３５に平行に配列されている。バックル装置３の第２部分３２は係合端３２２と他方端３２３とを有し、１つ以上の第１突起３２１が第２部分３２の係合端３２２に配置されている。第２部分３２と弾性部３３とが第１部分３１に対して回転するように、第１枢軸３５は第１部分３１と第２部分３２と弾性部３３とを回動可能に接続する。本実施形態では、弾性部３３は第１部分３１と第２部分３２との間に配置される。弾性部３３は第２部分３２の他方端３２３を外方へ付勢し、これにより第１突起３２１が第１枢軸３５の周りを内方へ回転し、ベルト６の第２突起６１を押して係合しベルト６を固定する。
【００１３】
図３Ｅ〜図３Ｈを参照すると、着用者がマスク８、潜水フィン９等のベルト６の締まりを調整する時、第２部分３２の他方端３２３を連続的に押すことで、他方端３２３が弾性部３３を内方へ押す（この時、弾性部３３は弾性復元力を蓄える）。この時、係合端３２２は第１枢軸３５の周りを外方へ回転し、ギャップが第１突起３２１と第２突起６１との間に形成され、係合端３２２の第１突起３２１とベルト６の第２突起６１との係合が解除され、その結果、着用者は適切な長さが得られるまでベルト６を調整することができる。着用者が第２部分３２の他方端３２３を押すのを止めると、弾性部３３は蓄えられた弾性復元力を解放し、反対方向に外方への反作用力を第２部分３２の他方端３２３に働かせ、他方端３２３は力を受け、外方へ付勢される。すると、他方端３２３に対比して係合端３２２は内方へ回転し、ベルト６の第２突起６１と係合する。本発明に係る弾性部３３は非常にしなやかで柔らかい材料でできているので、着用者は弾性部３３を押すのに大きな力を使う必要がない。また、非常にしなやかな弾性部３３は壊れたり、機能しなくなったり、又は疲労しない。
【００１４】
図４Ａ〜図４Ｄは本発明に係る好適な第２の実施形態のバックル装置４を例示する。バックル装置４は第１の実施形態と同様に、第１部分４１、第２部分４２、及び弾性部４３を備える。第１の実施形態と同様に、弾性部４３は、ほぼＡ１０とＡ９５の間のショア硬さを有し、弾性部４３の弾性係数は第１部分４１の弾性係数より小さく、２０Ｇｐａ未満である。即ち、第１部分４１と比べて弾性部４３はより良好な撓み性を有している。本実施形態の弾性部４３の材料は、第１の実施形態と同様に、シリコン、熱可塑性ゴム（ＴＰＲ）、ポリ塩化ビニル（ＰＶＣ）、及びこれらの組合せからなるグループから選択される。第１部分４１の材料はポリカーボネート（ＰＣ）、アルキルベンゼンスルホン酸塩（ＡＢＳ）、ポリオキシメチレン（ＰＯＭ）、ポリプロピレン（ＰＰ）、熱可塑性ゴム（ＴＰＲ）、ナイロンポリエチレン（ＰＥ）、ポリウレタン（ＰＵ）、及びこれらの組合せからなるグループから選択される。
【００１５】
図４Ｅ、図４Ｆは第２の実施形態のベルト６用のバックル装置４を示す。図４Ｃ、図４Ｅ、及び図４Ｆを同時に参照すると、バックル装置４は第１枢軸４５と第２枢軸４６とを更に備える。第２枢軸４６は第１部分４１に固定され、ベルト６は第２枢軸４６の周りに巻かれる。ベルト６の複数の第２突起６１と第２枢軸４６とは第１枢軸４５に平行に配列されている。バックル装置４の第２部分４２は係合端４２２と他方端４２３とを有する。１つ以上の第１突起４２１が第２部分４２の係合端４２２に設けられている。第２部分４２と弾性部４３とが第１部分４１に対して回転するように、第１枢軸４５によって第１部分４１と第２部分４２と弾性部４３とが回動可能に接続されている。第１の実施形態と第２の実施形態との差は、第２の実施形態のバックル装置４は１つ以上のプッシュ部４７、本実施形態では２つのプッシュ部４７を備えていることである。２つのプッシュ部４７は、図４Ａ、図４Ｂに示すように第２部分４２の両側に第２枢軸４６の軸方向に沿って配置されている。
【００１６】
２つのプッシュ部４７が押す力を同時に受け、内方へ移動する時、プッシュ部４７は第２部分４２の係合端４２２を第１枢軸４５の周りを外方へ回転させる。すると、係合端４２２に設けられた第１突起４２１とベルト６との間のギャップが増大し、ベルト６の第２突起６１が適切に解放される。すると、マスク８（図４Ｄに示すような）、潜水フィン９（図４Ｅ、図４Ｆに示すような）等が着用者に適切に固定されるように、着用者はベルト６の長さを調整することができる。係合端４２２が第１枢軸４５の周りを外方へ回転し、第１突起４２１が第２突起６１を解放すると、他方端４２３は第１枢軸４５の周りを内方へ回転し弾性部４３を押しつけ、弾性復元力が蓄えられる。着用者がプッシュ部４７を押すのを止めると、弾性部４３の復元力を受けた他方端４２３は第１枢軸４５の周りを外方へ回転し、これにより係合端４２２が第１枢軸４５の周りを内方へ回転し、初期の位置に戻る。従って、係合端４２２に設けられた第１突起４２１は、ベルト６の第２突起６１と再び係合し、ベルト６の第２突起６１は第１突起４２１と噛み合う。
【００１７】
図５Ａ〜図５Ｃは本発明の第３の実施形態のバックル装置５を例示する。バックル装置５は第１及び第２の実施形態と同様に、第１部分５１、第２部分５２、及び弾性部５３を備える。弾性部５３は第１部分５１と第２部分５２との間に配置され、同様に、ほぼＡ１０とＡ９５の間のショア硬さを有し、弾性部５３の弾性係数は第１部分５１の弾性係数より小さく、２０Ｇｐａ未満である。即ち、第１部分５１と比べて弾性部５３はより良好な撓み性を有している。弾性部５３と第１部分５１との材料の選択は、第１及び第２の実施形態と同様である。従って、更なる説明を省略する。
【００１８】
図５Ａ〜図５Ｃを再び参照すると、本発明の第３の実施形態の複数の第２突起６１を有するベルト６を固定するためのバックル装置５が示されている。バックル装置５は第１部分５１に固定された第２枢軸５６を更に備え、ベルト６は第２枢軸５６の周りに巻かれる。ベルト６の複数の第２突起６１は第２枢軸５６に平行に配列されている。バックル装置５の第２部分５２は係合端５２２と他方端５２３とを有する。第２部分５２の係合端５２２は第１突起５２１を有し、他方端５２３はスナップ嵌合突起５２３ａを有する。第１部分５１はスナップ嵌合突起５２３ａに対応したスナップ嵌合孔５１３を有し、他方端５２３のスナップ嵌合突起５２３ａは、第１部分５１と第２部分５２とを接続し固定するためにスナップ嵌合孔５１３に挿入されるように適合している。第２部分５２と第１部分５１は共に弾性部５３を保持し、弾性部５３は、第２部分５２が弾性部５３に当接すると、第１突起５２１がベルト６の第２突起６１と適切に係合して、ベルト６を固定するような高さを提供する。
【００１９】
本実施形態の別の実施例では、逆に、他方端５２３がスナップ嵌合孔５１３を有し、第１部分５１がスナップ嵌合孔５１３に対応したスナップ嵌合突起５２３ａを有してもよい。第１部分５１のスナップ嵌合突起５２３ａは第１部分５１と第２部分５２とを接続し固定するためにスナップ嵌合孔５１３に挿入されるように適合している。
【００２０】
バックル装置５は１つ以上のプッシュ部５７、本実施形態では図５Ａ、図５Ｃに示すように第２部分５２の両側に第２枢軸５６の軸方向に沿って配置された２つのプッシュ部５７を更に備える。２つのプッシュ部５７が押す力を受け、内方へ移動すると、２つのプッシュ部５７は弾性部５３を押し挟み、それにより弾性部５３は変形し外方へ突出する。突出する弾性部５３は第２部分５２の係合端５２２を外方へ押し上げ、それにより第２部分５２はスナップ嵌合突起５２３ａを中心にして第１部分５１に対して外方へ回転する（図５Ｂにおいて反時計回りに回転する）。その結果、係合端５２２に設けられた第１突起５２１とベルト６との間のギャップが増大し、ベルト６の第２突起６１を適切に解放する。すると、マスク８または潜水フィン９が着用者に適切に固定されるように、着用者はベルト６の長さを調整することができる。係合端５２２がスナップ嵌合突起５２３ａを中心にして外方へ回転し、第１突起５２１が第２突起６１を解放する時、押す力を受けている弾性部５３と第２部分５２は弾性復元力を蓄える。従って、着用者がプッシュ部５７を押すのを止めると、弾性部５３とスナップ嵌合突起５２３ａは弾性復元力を解放し、弾性部５３は元の形状に戻る。第２部分５２を押す力がなくなると、係合端５２２はスナップ嵌合突起５２３ａを中心にして内方へ回転し（図５Ｂにおいて第２部分５２は時計回りに回転する）、元の位置に戻り、これにより係合端５２２の第１突起５２１はベルト６の第２突起６１と再び係合し、ベルト６の第２突起６１は第１突起５２１と噛み合う。
【００２１】
本発明の弾性部３３、４３、５３と様々な物品の柔らかい材料部分とが一体に形成されてもよい。例えば、図３Ｅ、図３Ｆ、及び図４Ｄに示すように、第１の実施形態の弾性部３３はマスク８のスカート８１の延長部であり、スカート８１と一体に形成される。マスク８は水泳ゴーグル、潜水マスク、又は着用者の顔を覆う他の装置であってよいが、これらの物品に限定されない。図３Ｇ、図３Ｈ、及び図４Ｅ、図４Ｆを参照すると、本発明の弾性部３３は潜水フィン９の側縁９０から延び、一体に形成されている。本発明の弾性部３３、４３、５３は優れた撓み性を持つ材料でできているので、マスク、潜水フィン等の柔らかい材料部分と容易に一体に形成されうる。従って、本発明のバックル装置３、４、５はバックル装置の弾性復元力を増加させるバネを必要とせず、バックル装置のための複雑な組立手順は必要でない。また、弾性部３３、４３、５３は高い撓み性を持つ柔らかい材料でできているので、弾性疲労又は疲労による壊れの問題は発生しないし、弾性部３３、４３、５３を押してバックル装置３、４、５を操作するのに着用者は非常に軽い力を必要とするだけである。本発明のバックル装置３、４、５は、復元力蓄積構造体として従来のバックル装置１、２の硬い材料部品を必要としないし、疲労、壊れ、及び変形し難い問題を容易に引き起こす可能性のあるバネまたは金属弾性部品を使用する必要がない。従って、本バックル装置の寿命は長くなっている。本明細書に記載した一体に形成された弾性部と物品の位置、力による変形方向、及び材料の選択に、本発明の範囲が限定されないことは理解されるべきである。
【００２２】
上記開示は本発明の詳細な技術的内容と独創的な特徴に関する。記載した本発明の開示と示唆とに基づいてその特徴から逸脱することなく様々な変更及び置換えを当業者が想到する可能性がある。そのような変更及び置換えは、上記説明において完全には開示されていないが、添付の請求項に実質上記載されている。
【符号の説明】
【００２３】
６  ベルト
３１、４１、５１  第１部分
３２、４２、５２  第２部分
３３、４３、５３  弾性部
３５、４５  第１枢軸
３６、４６、５６  第２枢軸
６１  第２突起
３２１、４２１、５２１  第１突起
３２２、４２２、５２２  係合端
３２３、４２３、５２３  他方端
【図１Ａ】
2011036639.tif 000003
【図１Ｂ】
2011036639.tif 000004
【図１Ｃ】
2011036639.tif 000005
【図２Ａ】
2011036639.tif 000006
【図２Ｂ】
2011036639.tif 000007
【図２Ｃ】
2011036639.tif 000008
【図３Ａ】
2011036639.tif 000009
【図３Ｂ】
2011036639.tif 000010
【図３Ｃ】
2011036639.tif 000011
【図３Ｄ】
2011036639.tif 000012
【図３Ｅ】
2011036639.tif 000013
【図３Ｆ】
2011036639.tif 000014
【図３Ｇ】
2011036639.tif 000015
【図３Ｈ】
2011036639.tif 000016
【図４Ａ】
2011036639.tif 000017
【図４Ｂ】
2011036639.tif 000018
【図４Ｃ】
2011036639.tif 000019
【図４Ｄ】
2011036639.tif 000020
【図４Ｅ】
2011036639.tif 000021
【図４Ｆ】
2011036639.tif 000022
【図５Ａ】
2011036639.tif 000023
【図５Ｂ】
2011036639.tif 000024
【図５Ｃ】
2011036639.tif 000025